(57)【要約】【課題】複数のクライアント端末を利用可能になっていることを通信相手のユーザに知らせる。【解決手段】実施形態のサーバ装置は、端末の状態を示す状態情報と、端末から利用可能な利用可能端末を示す利用可能端末情報と、を含むプレゼンス情報を、端末毎に記憶する記憶部と、第１の端末から、第１の端末のプレゼンス情報を受信する通信部と、第１の端末から、第１の端末のプレゼンス情報を受信したときに、記憶部に記憶された第１の端末のプレゼンス情報を更新する状態管理部と、を備える。【選択図】図６
2017142610.tif 000002
【特許請求の範囲】
【請求項１】
端末の状態を示す状態情報と、前記端末から利用可能な利用可能端末を示す利用可能端末情報と、を含むプレゼンス情報を、前記端末毎に記憶する記憶部と、
第１の前記端末から、前記第１の端末の前記プレゼンス情報を受信する通信部と、
前記第１の端末から、前記第１の端末のプレゼンス情報を受信したときに、前記記憶部に記憶された前記第１の端末のプレゼンス情報を更新する状態管理部と、
を備えるサーバ装置。
【請求項２】
前記通信部は、前記記憶部に記憶された前記第１の端末のプレゼンス情報が更新された場合、前記第１の端末のプレゼンス情報を、前記第１の端末と通信可能な第２の前記端末に送信する、
請求項１に記載のサーバ装置。
【請求項３】
前記通信部は、前記第１の端末の前記利用可能端末情報に変更があった場合に、前記第１の端末から前記第１の端末のプレゼンス情報を受信する、
請求項１又は２に記載のサーバ装置。
【請求項４】
前記通信部は、前記第１の端末の前記状態情報に変更があった場合に、前記第１の端末から前記第１の端末のプレゼンス情報を受信する、
請求項１乃至３のいずれか１項に記載のサーバ装置。
【請求項５】
サーバ装置と、複数の端末と、を備える伝送システムであって、
前記サーバ装置は、
端末の状態を示す状態情報と、前記端末から利用可能な利用可能端末を示す利用可能端末情報と、を含むプレゼンス情報を、前記端末毎に記憶する記憶部と、
第１の前記端末から、前記第１の端末の前記プレゼンス情報を受信するサーバ通信部と、
前記第１の端末から、前記第１の端末のプレゼンス情報を受信したときに、前記記憶部に記憶された前記第１の端末のプレゼンス情報を更新する状態管理部と、を備え、
前記第１の端末は、
前記第１の端末のプレゼンス情報を送信する端末通信部、
を備える伝送システム。
【請求項６】
前記サーバ通信部は、前記記憶部に記憶された前記第１の端末のプレゼンス情報が更新された場合、前記第１の端末のプレゼンス情報を、前記第１の端末と通信可能な第２の前記端末に送信する、
請求項５に記載の伝送システム。
【請求項７】
前記サーバ通信部は、前記第１の端末の前記利用可能端末情報に変更があった場合に、前記第１の端末から前記第１の端末のプレゼンス情報を受信する、
請求項５又は６に記載の伝送システム。
【請求項８】
端末の状態を示す状態情報と、前記端末から利用可能な利用可能端末を示す利用可能端末情報と、を含むプレゼンス情報を、前記端末毎に記憶する記憶部を備えるコンピュータを、
第１の前記端末から、前記第１の端末の前記プレゼンス情報を受信する通信部と、
前記第１の端末から、前記第１の端末のプレゼンス情報を受信したときに、前記記憶部に記憶された前記第１の端末のプレゼンス情報を更新する状態管理部、
として機能させるためのプログラム。
【請求項９】
前記通信部は、前記記憶部に記憶された前記第１の端末のプレゼンス情報が更新された場合、前記第１の端末のプレゼンス情報を、前記第１の端末と通信可能な第２の前記端末に送信する、
請求項８に記載のプログラム。
【請求項１０】
前記通信部は、前記第１の端末の前記利用可能端末情報に変更があった場合に、前記第１の端末から前記第１の端末のプレゼンス情報を受信する、
請求項８又は９に記載のプログラム。
【発明の詳細な説明】
【技術分野】
【０００１】
本発明はサーバ装置、伝送システム及びプログラムに関する。
【背景技術】
【０００２】
クラウドコンピューティングの発展に伴い、様々な種類の機器が、クラウドサービスのクライアント端末として利用されている。クラウドサービスに利用されるクライアント端末は、例えばスマートフォン、タブレット端末、テレビ、テレビ会議端末、及び、タッチスクリーンを有した電子ホワイトボード等である。これにより、あるクライアント端末でサービスを利用している際に、同種のサービスを利用可能な別のクライアント端末が周囲に存在するという状況が多くなってきた。共有端末等の別のクライアント端末を、一時的に利用可能にする技術は、従来から知られている。一時的に別のクライアント端末を利用可能にすることにより、利用中のサービスがより高品質な状態で利用可能になったり、新たに端末特有の機能を使えるようになったりするので、ユーザがより便利にサービスを利用することが可能になる。
【０００３】
特許文献１には、自端末で利用可能なデータの種類を宛先端末に通知することにより、通信を開始する前に、ユーザが端末の設定処理を無駄なく適切に行うことができるようにする発明が開示されている。
【発明の概要】
【発明が解決しようとする課題】
【０００４】
しかしながら従来の技術では、通信相手のユーザが複数のクライアント端末を利用可能になった場合に、当該通信相手のユーザが複数のクライアント端末を利用可能になっていることを知ることができなかった。
【０００５】
本発明は、上記に鑑みてなされたものであって、複数のクライアント端末を利用可能になっていることを通信相手のユーザに知らせることができるサーバ装置、伝送システム及びプログラムを提供することを目的とする。
【課題を解決するための手段】
【０００６】
上述した課題を解決し、目的を達成するために、本発明は、端末の状態を示す状態情報と、前記端末から利用可能な利用可能端末を示す利用可能端末情報と、を含むプレゼンス情報を、前記端末毎に記憶する記憶部と、第１の前記端末から、前記第１の端末の前記プレゼンス情報を受信する通信部と、前記第１の端末から、前記第１の端末のプレゼンス情報を受信したときに、前記記憶部に記憶された前記第１の端末のプレゼンス情報を更新する状態管理部と、を備える。
【発明の効果】
【０００７】
本発明によれば、複数のクライアント端末を利用可能になっていることを通信相手のユーザに知らせることができるという効果を奏する。
【図面の簡単な説明】
【０００８】
【図１】図１は実施形態の伝送システムの装置構成の例を示す概略図である。
【図２】図２は実施形態のテレビ会議専用の端末のハードウェア構成の例を示す図である。
【図３】図３は実施形態の汎用の端末のハードウェア構成の例を示す図である。
【図４】図４は実施形態のサーバ装置のハードウェア構成の例を示す図である。
【図５】図５は実施形態の書込み機能及び表示機能を有する端末のハードウェア構成の例を示す図である。
【図６】図６は実施形態の伝送システムの機能構成の例を示す図である。
【図７】図７は実施形態の認証管理テーブルの例を示す図である。
【図８Ａ】図８Ａは実施形態の端末管理テーブルの例１を示す図である。
【図８Ｂ】図８Ｂは実施形態の端末管理テーブルの例２を示す図である。
【図９】図９は実施形態の宛先リスト管理テーブルの例を示す図である。
【図１０】図１０は実施形態のプレゼンス情報を含む宛先リストの例を示す図である。
【図１１】図１１は実施形態のプレゼンス情報の更新方法の例１を示すシーケンス図である。
【図１２】図１２は実施形態のプレゼンス情報の更新方法の例２を示すシーケンス図である。
【図１３】図１３は実施形態のプレゼンス情報の更新方法の例３を示すシーケンス図である。
【発明を実施するための形態】
【０００９】
以下に添付図面を参照して、サーバ装置、伝送システム及びプログラムの実施形態を詳細に説明する。
【００１０】
＜伝送システムの装置構成＞
図１は実施形態の伝送システム１の装置構成の例を示す概略図である。まず図１を用いて、本実施形態の伝送システム１の概略について説明する。
【００１１】
伝送システム１には、サーバ装置を介して一方の端末から他方の端末に一方向でコンテンツデータを伝送するデータ提供システム、及び、サーバ装置を介して複数の端末間で情報や感情等を相互に伝達するコミュニケーションシステム等が含まれる。このコミュニケーションシステムは、コミュニケーション管理システム（「サーバ装置」に相当）を介して複数のクライアント端末（「端末」に相当）間で情報や感情等を相互に伝達するためのシステムである。具体的には、コミュニケーションシステムは、テレビ会議システム、テレビ電話システム、音声会議システム、音声電話システム、及び、ＰＣ（Ｐｅｒｓｏｎａｌ  Ｃｏｍｐｕｔｅｒ）画面共有システム等である。
【００１２】
本実施形態の説明では、伝送システム１がテレビ会議システムである場合を例にして説明する。
【００１３】
実施形態の伝送システム１は、端末（１０ａａ，１０ａｂ，…）、各端末（１０ａａ，１０ａｂ，…）用のディスプレイ（１２０ａａ，１２０ａｂ，…）、端末（２０ａａ，２０ａｂ，…）、端末（１３０ａ，１３０ｂ）、中継装置（３０ａ，３０ｂ，３０ｃ，３０ｄ，３０ｅ）、サーバ装置５０、プログラム提供システム９０及びメンテナンスシステム１００を備える。
【００１４】
端末（１０ａａ，１０ａｂ，…）は、テレビ会議専用の端末である。端末（２０ａａ，２０ａｂ，…）は、スマートデバイス等の汎用の端末である。端末（１３０ａ，１３０ｂ）は、電子ホワイトボード等の表示機能及び書込み機能を有する端末である。
【００１５】
端末１３０は、パーソナルコンピュータ等でユーザにより作成されたデータを表示し、表示されたデータに対する書き込みを受け付ける。また端末１３０に表示されたデータ、及び、当該表示されたデータに対して書き込まれた情報は、伝送システム１に接続された他の端末１３０との間で共有することができる。また端末１３０は、端末１０及び２０のディスプレイとしても利用可能である。
【００１６】
なお、本実施形態では、端末（１０ａａ，１０ａｂ，…）のうち任意の端末を示す場合には「端末１０」を用いる、また、端末（２０ａａ，２０ａｂ，…）のうち任意の端末を示す場合には「端末２０」を用いる。また、ディスプレイ（１２０ａａ，１２０ａｂ，…）のうち任意のディスプレイを示す場合には「ディスプレイ１２０」を用いる。また、端末（１３０ａ，１３０ｂ）のうち任意の端末を示す場合には「端末１３０」を用いる。また、中継装置（３０ａ，３０ｂ，３０ｃ，３０ｄ，３０ｅ）のうち任意の中継装置を示す場合には「中継装置３０」を用いる。
【００１７】
端末１０、２０及び１３０は、他の装置との間で、各種情報を送受信する。
【００１８】
例えば、端末１０、２０及び１３０は、他の端末１０及び２０との間でセッションを確立し、確立したセッションにおいて、音声データ及び画像データを含むコンテンツデータの送受信による通話を行う。これにより、伝送システム１において、複数の端末１０及び２０間でテレビ会議を行うことができる。
【００１９】
また例えば、端末１３０は、他の端末１３０との間でセッションを確立し、確立したセッションにおいて、表示情報の送受信を行う。これにより、伝送システム１において、複数の端末１３０の間で表示情報を共有することができる。
【００２０】
以下、「画像データ及び音声データ」を「コンテンツデータ」として表す。なお、端末１０及び２０間で伝送されるデータは、本実施形態に限定されるものではなく、他の例としては、コンテンツデータは、テキストデータであってもよく、また、他の例としては、コンテンツデータは、音声データ、画像データに加えてテキストデータを含むものであってもよい。また、画像データは、動画であってもよく、静止画であってもよい。また、画像データは、動画と静止画の両方を含んでいてもよい。
【００２１】
また、本実施形態の伝送システム１では、端末１０、２０及び１３０は、ユーザから通信を開始する操作を受け付けた場合、開始要求情報をサーバ装置５０に送信する。
【００２２】
ここで、開始要求情報とは、通信の開始を要求する情報であって、他の端末１０、２０及び１３０を通信相手として指定する情報を含んでいる。以下、開始要求情報を送信する端末１０、２０及び１３０を開始要求端末という。また、通信相手として指定された他の端末１０、２０及び１３０を宛先端末という。具体的には、開始要求情報は、開始を要求する旨を示す情報と、開始要求端末を識別する端末ＩＤと、宛先端末を識別する端末ＩＤとを含んでいる。
【００２３】
なお、宛先端末は、１つの端末１０、２０及び１３０であってもよく、２以上の端末１０、２０及び１３０であってもよい。すなわち、伝送システム１は、２つの端末１０、２０及び１３０間だけでなく、３以上の端末１０、２０及び１３０間で確立されたセッションを用いたテレビ会議等を実現することができる。
【００２４】
サーバ装置５０は、端末１０、２０及び１３０、並びに、中継装置３０を一元的に管理する。サーバ装置５０は、例えば端末１０及び２０から開始要求情報を受信したときに、当該開始要求情報に基づくセッションを確立することにより、端末１０及び２０間における通話等によるテレビ会議を実現する。また例えば、サーバ装置５０は、端末１３０から開始要求情報を受信したときに、当該開始要求情報に基づくセッションを確立することにより、複数の端末１３０間における表示情報の共有機能を実現する。
【００２５】
複数のルータ（７０ａ，７０ｂ，７０ｃ，７０ｄ，７０ａｂ，７０ｃｄ）は、コンテンツデータの最適な経路の選択を行う。なお、本実施形態では、ルータ（７０ａ，７０ｂ，７０ｃ，７０ｄ，７０ａｂ，７０ｃｄ）のうち任意のルータを示す場合には「ルータ７０」を用いる。
【００２６】
中継装置３０は、例えば複数の端末１０及び２０の間で、コンテンツデータの中継を行う。また例えば、中継装置３０は、複数の端末１３０の間で、表示情報の中継を行う。
【００２７】
プログラム提供システム９０は、端末１０、２０及び１３０に各種機能を実現させるための端末用プログラムが記憶されたＨＤ（Ｈａｒｄ  Ｄｉｓｋ）を備える。プログラム提供システム９０は、端末用プログラムを端末１０、２０及び１３０に送信することができる。また、プログラム提供システム９０のＨＤには、中継装置３０に各種機能を実現させるための中継装置用プログラムも記憶されており、中継装置３０に、中継装置用プログラムを送信することができる。更に、プログラム提供システム９０のＨＤには、サーバ装置５０に各種機能を実現させるための伝送管理用プログラムも記憶されており、サーバ装置５０に、伝送管理用プログラムを送信することができる。
【００２８】
メンテナンスシステム１００は、端末１０、２０及び１３０、並びに、中継装置３０、サーバ装置５０及びプログラム提供システム９０のうち、少なくとも１つの維持、管理、又は保守を行うためのコンピュータである。また、メンテナンスシステム１００は、端末１０、２０及び１３０、並びに、中継装置３０、サーバ装置５０及びプログラム提供システム９０のうち、少なくとも１つの機種番号、製造番号、販売先、保守点検、又は故障履歴の管理等のメンテナンスを行う。
【００２９】
また、端末（１０ａａ，１０ａｂ，１０ａｃ，１０ａ…）、中継装置３０ａ、及びルータ７０ａは、ＬＡＮ２ａによって通信可能に接続されている。端末（１０ｂａ，１０ｂｂ，１０ｂｃ，１０ｂ…、２０ａａ，２０ａｂ，…）、端末（１３０ａ）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００３０】
一方、端末（１０ｃａ，１０ｃｂ，１０ｃｃ，１０ｃ…）、中継装置３０ｃ、及びルータ７０ｃは、ＬＡＮ２ｃによって通信可能に接続されている。端末（１０ｄａ，１０ｄｂ，１０ｄｃ，１０ｄ…）、端末（１３０ｂ）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカであり、ＬＡＮ２ｃはニューヨークの事業所内で構築されており、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００３１】
また、サーバ装置５０及びプログラム提供システム９０は、インターネット２ｉを介して、端末１０、２０及び１３０、並びに、中継装置３０と通信可能に接続されている。サーバ装置５０及びプログラム提供システム９０は、地域Ａ又は地域Ｂに設置されていてもよいし、これら以外の地域に設置されていてもよい。
【００３２】
また、中継装置３０ｅは、インターネット２ｉを介して端末１０、２０及び１３０と通信可能に接続されている。この中継装置３０ｅは、常時稼動しており、地域Ａ又は地域Ｂのローカルエリア内の通信量の影響を受けにくくするために、これら以外の地域に設置されている。これにより、端末１０、２０及び１３０が他のローカルエリアに設置された端末と通話する場合に、コンテンツデータを中継するための中継装置として中継装置３０ｅが用いられる。また、同一のローカルエリアの端末間で通話を行う際に、このローカルエリアに設置された中継装置が稼動していない場合にも、緊急用の中継装置として中継装置３０ｅが用いられる。
【００３３】
なお、本実施形態では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、本実施形態の通信ネットワーク２が構築されている。この通信ネットワーク２には、有線だけでなく無線による通信が行われる箇所があってもよい。
【００３４】
また、図１において、各端末１０、２０及び１３０、並びに、各中継装置３０、サーバ装置５０、各ルータ７０、プログラム提供システム９０及びメンテナンスシステム１００の下に示されている４組の数字は、一般的なＩＰｖ４におけるＩＰアドレスを簡易的に示している。例えば、端末１０ａａのＩＰアドレスは「１．２．１．３」である。また、ＩＰｖ４ではなく、ＩＰｖ６を用いてもよいが、説明を簡略化するため、ＩＰｖ４を用いて説明する。
【００３５】
＜テレビ会議専用の端末のハードウェア構成＞
次に、本実施形態のテレビ会議専用の端末１０のハードウェア構成の例について説明する。
【００３６】
図２は実施形態のテレビ会議専用の端末１０のハードウェア構成の例を示す図である。図２に示されているように、本実施形態の端末１０は、端末１０全体の動作を制御するＣＰＵ（Ｃｅｎｔｒａｌ  Ｐｒｏｃｅｓｓｉｎｇ  Ｕｎｉｔ）１０１、端末用プログラムを記憶したＲＯＭ（Ｒｅａｄ  Ｏｎｌｙ  Ｍｅｍｏｒｙ）１０２、ＣＰＵ１０１のワークエリアとして使用されるＲＡＭ（Ｒａｎｄｏｍ  Ａｃｃｅｓｓ  Ｍｅｍｏｒｙ）１０３、画像データや音声データ等の各種データを記憶するフラッシュメモリ１０４、ＣＰＵ１０１の制御にしたがってフラッシュメモリ１０４に対する各種データの読み出し又は書き込みを制御するＳＳＤ（Ｓｏｌｉｄ  Ｓｔａｔｅ  Ｄｒｉｖｅ）１０５、フラッシュメモリ等の記録メディア１０６に対するデータの読み出し又は書き込み（記憶）を制御するメディアドライブ１０７、端末１０の宛先を選択する場合等に操作される操作ボタン１０８、端末１０の電源のＯＮ／ＯＦＦを切り換えるための電源スイッチ１０９、後述の通信ネットワーク２を利用してデータ伝送をするためのネットワークＩ／Ｆ（Ｉｎｔｅｒｆａｃｅ）１１１、認証受付Ｉ／Ｆ１１８を備えている。
【００３７】
また、端末１０は、ＣＰＵ１０１の制御に従って被写体を撮像して画像データを得る内蔵型のカメラ１１２、このカメラ１１２の駆動を制御する撮像素子Ｉ／Ｆ１１３、音声を入力する内蔵型のマイク１１４、音声を出力する内蔵型のスピーカ１１５、ＣＰＵ１０１の制御に従ってマイク１１４及びスピーカ１１５との間で音声信号の入出力を処理する音声入出力Ｉ／Ｆ１１６、ＣＰＵ１０１の制御に従って外付けのディスプレイ１２０に画像データを伝送するディスプレイＩ／Ｆ１１７、各種の外部機器を接続するための外部機器接続Ｉ／Ｆ１８１、端末１０の各種機能の異常を知らせるアラームランプ１１９、及び上記各構成要素を電気的に接続するためのアドレスバスやデータバス等のバスライン１１０を備えている。
【００３８】
また、端末１０は、ＮＦＣ  Ｉ／Ｆ１２１やＢｌｕｅｔｏｏｔｈ（登録商標）Ｉ／Ｆ１２２を備えてもよい。ＮＦＣ  Ｉ／Ｆ１２１は、至近距離でデータ通信を行なう近距離無線通信の国際標準の一つであるＮＦＣ（Ｎｅａｒ  Ｆｉｅｌｄ  Ｃｏｍｍｕｎｉｃａｔｉｏｎ）（ＩＳＯ／ＩＥＣ  １８０９２等）に対応した通信インタフェースである。Ｂｌｕｅｔｏｏｔｈ  Ｉ／Ｆ１２２は、短距離無線通信技術の一つとして標準化されているＢｌｕｅｔｏｏｔｈ（登録商標）（ＩＥＥＥ  ８０２．１５．１等）に対応した通信インタフェースである。
【００３９】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）やＤＶＩ（Ｄｉｇｉｔａｌ  Ｖｉｄｅｏ  Ｉｎｔｅｒａｃｔｉｖｅ）信号用のケーブルであってもよい。
【００４０】
カメラ１１２は、レンズや、光を電荷に変換して被写体の画像（映像）を電子化する固体撮像素子を含み、固体撮像素子として、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）等が用いられる。
【００４１】
外部機器接続Ｉ／Ｆ１８１には、ＵＳＢ（Ｕｎｉｖｅｒｓａｌ  Ｓｅｒｉａｌ  Ｂｕｓ）ケーブル等によって、外付けカメラ、外付けマイク、及び外付けスピーカ等の外部機器がそれぞれ電気的に接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００４２】
なお、記録メディア１０６は、端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等を用いてもよい。
【００４３】
更に、上記端末用プログラムは、インストール可能な形式又は実行可能な形式のファイルによって、コンピュータで読み取り可能な記録媒体（記録メディア１０６等）に記録されて流通されるようにしてもよい。また、上記端末用プログラムは、フラッシュメモリ１０４ではなくＲＯＭ１０２に記憶させるようにしてもよい。
【００４４】
＜汎用の端末のハードウェア構成＞
次に、本実施形態の汎用の端末２０のハードウェア構成の例について説明する。
【００４５】
図３は実施形態の汎用の端末２０のハードウェア構成の例を示す図である。図３に示されているように、本実施形態の端末２０は、端末２０全体の動作を制御するＣＰＵ２０１、端末２０に各種操作信号を入力するための入力装置２０２、端末２０による処理結果を表示するための表示装置２０３、外付けマイク、外付けカメラや外部記録媒体（記録メディア）等の各種外部装置とのインタフェースである外部Ｉ／Ｆ２０４、ＣＰＵ２０１のワークエリアとして使用されるＲＡＭ２０５、端末２０のＯＳの設定やネットワーク設定等のプログラムやデータが格納されるＲＯＭ２０６、携帯電話通信網やインターネット等を利用してデータ伝送をするためのネットワークＩ／Ｆ２０７、端末用プログラム等の各種データを記憶するフラッシュメモリ２０８、ＣＰＵ２０１の制御にしたがってフラッシュメモリ２０８に対する各種データの読み出し又は書き込みを制御するＳＳＤ２０９を備えている。
【００４６】
また、端末２０は、ＣＰＵ２０１の制御に従って被写体を撮像して画像データを得る内蔵型のカメラ２１０、このカメラ２１０の駆動を制御する撮像素子Ｉ／Ｆ２１１、音声を入力する内蔵型のマイク２１２、音声を出力する内蔵型のスピーカ２１３、ＣＰＵ２０１の制御に従ってマイク２１２及びスピーカ２１３との間で音声信号の入出力を処理する音声入出力Ｉ／Ｆ２１４、及び上記各構成要素を電気的に接続するためのアドレスバスやデータバス等のバスライン２１５を備えている。なお、端末２０がテキストチャットサービスのみを利用する端末である場合、カメラ２１０やマイク２１２、スピーカ２１３等は備えていなくてもよい。
【００４７】
また、端末２０は、ＮＦＣ  Ｉ／Ｆ２２１とＢｌｕｅｔｏｏｔｈ  Ｉ／Ｆ２２２のいずれか又は両者を備えてもよい。
【００４８】
また、ＣＰＵ２０１の制御にしたがってデータの読み出し又は書き込みを行う不揮発性メモリであれば、フラッシュメモリ２０８に限らず、ＥＥＰＲＯＭ等を用いてもよい。
【００４９】
上記端末用プログラムは、インストール可能な形式又は実行可能な形式のファイルで、上記記録メディア等の、コンピュータで読み取り可能な記録媒体に記録して流通させるようにしてもよい。また、上記端末用プログラムは、フラッシュメモリ２０８ではなくＲＯＭ２０６に記憶させるようにしてもよい。
【００５０】
＜サーバ装置のハードウェア構成＞
次に、本実施形態のサーバ装置５０のハードウェア構成の例について説明する。
【００５１】
図４は実施形態のサーバ装置５０のハードウェア構成の例を示す図である。サーバ装置５０は、全体の動作を制御するＣＰＵ５０１、伝送管理用プログラムを記憶したＲＯＭ５０２、ＣＰＵ５０１のワークエリアとして使用されるＲＡＭ５０３、各種データを記憶するＨＤ（Ｈａｒｄ  Ｄｉｓｋ）５０４、ＣＰＵ５０１の制御にしたがってＨＤ５０４に対する各種データの読み出し又は書き込みを制御するＨＤＤ（Ｈａｒｄ  Ｄｉｓｋ  Ｄｒｉｖｅ）５０５、フラッシュメモリ等の記録メディア５０６に対するデータの読み出し又は書き込み（記憶）を制御するメディアドライブ５０７、カーソル、メニュー、ウィンドウ、文字、又は画像等の各種情報を表示するディスプレイ５０８、後述の通信ネットワーク２を利用してデータ伝送をするためのネットワークＩ／Ｆ５０９、文字、数値、各種指示等の入力のための複数のキーを備えたキーボード５１１、各種指示の選択や実行、処理対象の選択、カーソルの移動等を行うマウス５１２、着脱可能な記録媒体の一例としてのＣＤ−ＲＯＭ（Ｃｏｍｐａｃｔ  Ｄｉｓｃ  Ｒｅａｄ  Ｏｎｌｙ  Ｍｅｍｏｒｙ）５１３に対するデータの読み出し又は書き込みを制御するＣＤ−ＲＯＭドライブ５１４、及び、上記各構成要素を電気的に接続するためのアドレスバスやデータバス等のバスライン５１０を備えている。
【００５２】
なお、上記伝送管理用プログラムは、インストール可能な形式又は実行可能な形式のファイルで、上記記録メディア５０６やＣＤ−ＲＯＭ５１３等のコンピュータで読み取り可能な記録媒体に記録して流通させるようにしてもよい。
【００５３】
また、中継装置３０は、上記サーバ装置５０と同様のハードウェア構成を有しているため、その説明を省略する。ただし、ＲＯＭ５０２には、中継装置３０を制御するための中継装置用プログラムが記録されている。この場合も、中継装置用プログラムは、インストール可能な形式又は実行可能な形式のファイルで、上記記録メディア５０６やＣＤ−ＲＯＭ５１３等のコンピュータで読み取り可能な記録媒体に記録して流通させるようにしてもよい。
【００５４】
更に、プログラム提供システム９０は、上記サーバ装置５０と同様のハードウェア構成を有しているため、その説明を省略する。ただし、ＲＯＭ５０２には、プログラム提供システム９０を制御するためのプログラム提供用プログラムが記録されている。この場合も、プログラム提供用プログラムは、インストール可能な形式又は実行可能な形式のファイルで、上記記録メディア５０６やＣＤ−ＲＯＭ５１３等のコンピュータで読み取り可能な記録媒体に記録して流通させるようにしてもよい。
【００５５】
また、メンテナンスシステム１００は、上記サーバ装置５０と同様のハードウェア構成を有しているため、その説明を省略する。ただし、ＲＯＭ５０２には、メンテナンスシステム１００を制御するためのメンテナンス用プログラムが記録されている。この場合も、メンテナンス用プログラムは、インストール可能な形式又は実行可能な形式のファイルで、上記記録メディア５０６やＣＤ−ＲＯＭ５１３等のコンピュータで読み取り可能な記録媒体に記録して流通させるようにしてもよい。
【００５６】
なお、上記着脱可能な記録媒体の他の例として、ＣＤ−Ｒ（Ｃｏｍｐａｃｔ  Ｄｉｓｃ  Ｒｅｃｏｒｄａｂｌｅ）、ＤＶＤ（Ｄｉｇｉｔａｌ  Ｖｅｒｓａｔｉｌｅ  Ｄｉｓｋ）、ブルーレイディスク等のコンピュータで読み取り可能な記録媒体に記録して提供するように構成してもよい。
【００５７】
＜書込み機能及び表示機能を有する端末のハードウェア構成＞
次に、本実施形態の端末１３０のハードウェア構成の例について説明する。
【００５８】
図５は実施形態の書込み機能及び表示機能を有する端末１３０のハードウェア構成の例を示す図である。実施形態の端末１３０は、端末１３０全体の動作を制御するＣＰＵ６０１、ＩＰＬ（Ｉｎｉｔｉａｌ  Ｐｒｏｇｒａｍ  Ｌｏａｄｅｒ）等のＣＰＵ６０１の駆動に用いられるプログラムを記憶したＲＯＭ６０２、ＣＰＵ６０１のワークエリアとして使用されるＲＡＭ６０３、端末１３０用のプログラム等の各種データを記憶するＳＳＤ６０４、通信ネットワーク２との通信を制御するネットワークコントローラ６０５、及び、ＵＳＢメモリ６２１との通信を制御する外部記憶コントローラ６０６を備えている。
【００５９】
また、端末１３０は、キャプチャデバイス６１１、ＧＰＵ（Ｇｒａｐｈｉｃｓ  Ｐｒｏｃｅｓｓｉｎｇ  Ｕｎｉｔ）６１２、及び、ディスプレイコントローラ６１３を備えている。キャプチャデバイス６１１は、ノートＰＣ６２２のディスプレイに表示された映像情報を、静止画又は動画として取得する。ＧＰＵ６１２は、グラフィクスを専門に処理する。ディスプレイコントローラ６１３は、ＧＰＵ６１２からの出力画像をディスプレイ６２４等へ出力するために画面表示の制御及び管理を行う。またディスプレイコントローラ６１３は、カメラ６２３から入力された映像を、ディスプレイ６２４へ出力する表示制御を行う。
【００６０】
更に、端末１３０は、接触センサ６１５の処理を制御するセンサコントローラ６１４、ディスプレイ６２４上に電子ペン６２６やユーザの手６２５等が接触したことを検知する接触センサ６１５を備えている。この接触センサ６１５は、赤外線遮断方式による座標の入力及び座標の検出を行う。この座標の入力及び座標の検出する方法は、ディスプレイ６２４の上側両端部に設置された２つ受発光装置（不図示）が、ディスプレイ６２４に平行して複数の赤外線を放射し、ディスプレイ６２４の周囲に設けられた反射部材によって反射されて、受光素子が放射した光の光路と同一の光路上を戻って来る光を受光する方法である。接触センサ６１５は、物体によって遮断された２つの受発光装置が放射した赤外線のＩＤ（Ｉｄｅｎｔｉｆｉｃａｔｉｏｎ）をセンサコントローラ６１４に出力し、センサコントローラ６１４が、物体の接触位置である座標位置を特定する。
【００６１】
また、接触センサ６１５としては、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネル等の種々の検出手段を用いてもよい。
【００６２】
また、端末１３０は、電子ペンコントローラ６１６を備えている。この電子ペンコントローラ６１６は、電子ペン６２６と通信することで、ディスプレイ６２４へのペン先のタッチやペン尻のタッチの有無を判断する。なお、電子ペンコントローラ６１６が、電子ペン６２６のペン先及びペン尻だけでなく、電子ペン６２６のユーザが握る部分や、その他の電子ペンの部分のタッチの有無を判断するようにしてもよい。
【００６３】
更に、端末１３０は、ＣＰＵ６０１、ＲＯＭ６０２、ＲＡＭ６０３、ＳＳＤ６０４、ネットワークコントローラ６０５、外部記憶コントローラ６０６、キャプチャデバイス６１１、ＧＰＵ６１２、センサコントローラ６１４、及び電子ペンコントローラ６１６を、図５に示されているように電気的に接続するためのアドレスバスやデータバス等のバスライン６２０を備えている。
【００６４】
＜伝送システムの機能構成＞
次に、本実施形態の伝送システム１の機能構成の例について説明する。
【００６５】
図６は実施形態の伝送システム１の機能構成の例を示す図である。図６では、端末１０、２０及び１３０、並びに、中継装置３０及びサーバ装置５０が、通信ネットワーク２を介してデータ通信することができるように接続されている。また、図１に示されているプログラム提供システム９０及びメンテナンスシステム１００は、図６では省略されている。
【００６６】
＜端末の機能構成＞
実施形態の端末１０、２０及び１３０は、通信部１１、操作入力受付部１２、ログイン要求部１３、撮像部１４、音声入力部１５ａ、音声出力部１５ｂ、表示制御部１６、遅延検出部１８、記憶制御部１９、宛先リスト作成部１−２０、ユーザ認証受付部１−２１、及び連携部１−２２を有している。これら各部は、図２、図３及び図５に示されている各構成要素のいずれかが、ＲＯＭ１０２（２０６，６０２）に記憶されているプログラムに従ったＣＰＵ１０１（２０１，６０１）からの命令によって動作することで実現される機能である。また、端末１０、２０及び１３０は、ＲＡＭ１０３（２０５，６０３）によって構築される揮発性記憶部１１００、並びに、フラッシュメモリ１０４（２０８）及びＳＳＤ６０４等によって構築される不揮発性記憶部１０００を有している。
【００６７】
次に、端末１０、２０及び１３０の各部を詳細に説明する。
【００６８】
端末１０及び２０の通信部１１は、ネットワークＩ／Ｆ１１１、２０７によって実現される。また端末１３０の通信部１１は、ネットワークコントローラ６０５によって実現される。端末１０、２０及び１３０の通信部１１は、通信ネットワーク２を介して他の端末、装置又はシステムとデータの送受信を行う。
【００６９】
通信部１１は、例えば自端末のプレゼンス情報をサーバ装置５０に送信し、他の端末のプレゼンス情報をサーバ装置５０から受信する。
【００７０】
プレゼンス情報は、端末１０（２０，１３０）の状態を示す状態情報と、当該端末１０（２０，１３０）から利用可能な利用可能端末を示す利用可能端末情報と、を含む。
【００７１】
状態情報は、各端末１０、２０及び１３０の稼動状態（オンライン又はオフライン）を示す。なお状態情報をより詳細に定めてもよい。例えばオンラインの状態を、通話中及び待受け中等の通信状態により更に区別してもよい。また、通信ケーブルが外れていることを示す状態、音声を出力できるが画像は出力できないことを示す状態、及び、音声を出力させないよう設定されている（ＭＵＴＥ）状態等を定めてもよい。
【００７２】
通信部１１は、例えば自装置の状態がオフラインからオンラインに変わったときに、自装置のプレゼンス情報をサーバ装置５０に送信する。また例えば、通信部１１は、他の端末１０、２０及び１３０とセッションを確立する前に、サーバ装置５０から、宛先端末候補として表示される各端末１０、２０及び１３０のプレゼンス情報を受信する。
【００７３】
宛先端末候補は、端末１０、２０及び１３０が、通信を行う相手として指定可能な端末を示す。すなわち、端末１０、２０及び１３０は、宛先端末候補として予め設定されていない端末とは、セッションを確立することができない。
【００７４】
通信部１１は、例えばテレビ会議の開始要求端末として動作する場合に、宛先端末候補から選択された端末１０（２０）を識別する端末ＩＤを含む上述の開始要求情報を、サーバ装置５０に送信する。
【００７５】
ユーザ認証受付部１−２１は、認証受付Ｉ／Ｆ１１８で入力されたユーザの認証情報を受け付ける。
【００７６】
端末１０の操作入力受付部１２は、操作ボタン１０８、及び電源スイッチ１０９によって実現され、利用者による各種入力を受け付ける。例えば、利用者が、電源スイッチ１０９をＯＮにすると、操作入力受付部１２が電源ＯＮを受け付けて、電源をＯＮにする。端末２０の操作入力受付部１２は、入力装置２０２により実現される。端末１３０の操作入力受付部１２は、センサコントローラ６１４、接触センサ６１５及び電子ペンコントローラ６１６等によって実現される。
【００７７】
ログイン要求部１３は、ＣＰＵ１０１からの命令によって実現され、上記電源ＯＮの受け付けを契機として、通信部１１から通信ネットワーク２を介してサーバ装置５０に、ログインを要求する旨を示すログイン要求情報、及び当該端末１０の現時点のＩＰアドレスを自動的に送信する。また、利用者が電源スイッチ１０９をＯＮの状態からＯＦＦにすると、通信部１１は、サーバ装置５０へ、電源をＯＦＦする旨の状態情報を送信してから、操作入力受付部１２が電源を完全にＯＦＦにする。これにより、サーバ装置５０側では、端末１０が電源ＯＮから電源ＯＦＦになったことを把握することができる。
【００７８】
撮像部１４は、ＣＰＵ１０１、２０１からの命令、並びにカメラ１１２、２１０、及び撮像素子Ｉ／Ｆ１１３、２１１によって実現され、被写体を撮像して、この撮像して得た画像データを出力する。音声入力部１５ａは、音声入出力Ｉ／Ｆ１１６、２１４によって実現され、マイク１１４、２１２によって利用者の音声が音声信号に変換された後、この音声信号に係る音声データを入力する。音声出力部１５ｂは、ＣＰＵ１０１、２０１からの命令、並びに音声入出力Ｉ／Ｆ１１６、２１４によって実現され、音声データに係る音声信号をスピーカ１１５、２１３に出力し、スピーカ１１５、２１３から音声を出力させる。
【００７９】
端末１０及び２０の表示制御部１６は、ディスプレイＩ／Ｆ１１７等によって実現され、外付けのディスプレイ１２０（表示装置２０３）に対して画像データを送信するための制御を行う。端末１３０の表示制御部１６は、キャプチャデバイス６１１、ＧＰＵ６１２及びディスプレイコントローラ６１３等によって実現される。表示制御部１６は、例えば後述の宛先リストをディスプレイ１２０（表示装置２０３、ディスプレイ６２４）に表示する。なお、端末１３０の表示制御部１６は、ノートＰＣ６２２等から取得された表示情報に、ユーザにより入力された入力情報を重畳する表示制御処理等も行う。
【００８０】
遅延検出部１８は、ＣＰＵ１０１、２０１からの命令によって実現され、他の端末１０及び２０から中継装置３０を介して送られて来る画像データ又は音声データの遅延時間（ｍｓ）を検出する。
【００８１】
また、記憶制御部１９は、ＣＰＵ１０１、２０１からの命令、並びに一例としてＳＳＤ１０５、２０９によって実行され、不揮発性記憶部１０００に各種データを記憶したり、不揮発性記憶部１０００に記憶された各種データを読み出す処理を行う。この不揮発性記憶部１０００には、端末１０及び２０を識別するための端末ＩＤ（Ｉｄｅｎｔｉｆｉｃａｔｉｏｎ）、及びパスワード等が記憶される。更に、記憶制御部１９は、揮発性記憶部１１００に各種データを記憶したり、揮発性記憶部１１００に記憶された各種データを読み出す処理も行う。この揮発性記憶部１１００には、宛先端末との通話を行う際に受信されるコンテンツデータが、受信される度に上書き記憶される。このうち、上書きされる前の画像データによってディスプレイ１２０、表示装置２０３に画像が表示され、上書きされる前の音声データによってスピーカ１１５、２１３から音声が出力される。
【００８２】
宛先リスト作成部１−２０は、宛先リストを作成する。宛先リストは、上述の宛先端末候補と、当該宛先端末候補の上述のプレゼンス情報と、を含む。
【００８３】
連携部１−２２は、端末１０、２０及び１３０の間の連携にかかる処理を制御する。連携部１−２２は、端末１０、２０及び１３０を連携させることにより、ユーザの利便性を向上させる。
【００８４】
例えば汎用の端末２０でも、テレビ会議専用の端末１０と同様に、発信及び着信を行うことにより、テレビ会議を行うことができる。しかしながら、一般に、汎用の端末２０のカメラ、ディスプレイ及びスピーカ等の性能は、端末１０よりも劣る。また例えば、会議室等を利用して複数人でテレビ会議を行う場合は、汎用の端末２０の表示画面を使用するよりも、電子ホワイトボード等の端末１３０を利用した方が便利である。そのため連携部１−２２が、端末１０と、端末２０及び端末１３０とを連携させることにより、端末１０のユーザの利便性を向上させることができる。
【００８５】
連携部１−２２は、例えばユーザの操作に応じ、予め端末２０をいずれかの端末１０と対応付け（ペアリング）、端末２０に先方より着信があった場合に、端末２０からの指示により端末１０でテレビ会議を開始する制御を行う。また、端末２０からの宛先リスト（アドレス帳）に基づく発信時に、ユーザの操作に応じ、端末２０をいずれかの端末１０と対応付け（ペアリング）、端末１０から先方に発信を行ってテレビ会議を開始する制御を行う。
【００８６】
なお端末１０及び端末１３０を、端末１０のユーザの個人アカウントを用いて利用できるようにする場合、端末１０のユーザの宛先リストが他人の目に晒されたり、席を外している間に自己の個人アカウントを用いた不正な操作が行われたりするリスクがある。そのため連携部１−２２は、テレビ会議終了後のデータの削除、及び、パスワードによるアクセスの保護等により、安全にテレビ会議を行えるように連携にかかる処理を制御する。
【００８７】
＜中継装置の機能構成＞
次に、中継装置３０の機能について説明する。中継装置３０は、通信部３１、状態検知部３２、データ品質確認部３３、変更品質管理部３４、データ品質変更部３５、及び記憶制御部３９を有している。これら各部は、図４に示されている各構成要素のいずれかが、ＲＯＭ５０２に記憶されているプログラムに従ったＣＰＵ５０１からの命令によって動作することで実現される機能である。また、中継装置３０は、ＨＤ５０４により構築され、中継装置３０の電源をＯＦＦにしても各種データや情報の記憶が維持される不揮発性記憶部３０００を有している。
【００８８】
不揮発性記憶部３０００には、変更品質管理テーブルによって構成されている変更品質管理ＤＢ（Ｄａｔａ  Ｂａｓｅ）３００１が構築される。なお、変更品質管理テーブルでは、画像データの中継先としての端末１０のＩＰアドレス、及びこの中継先に中継装置３０が中継する画像データの画質が関連付けられて管理される。
【００８９】
次に、中継装置３０の各機能構成について詳細に説明する。なお、以下では、中継装置３０の各部を説明するにあたって、各構成要素のうち、中継装置３０の各部を実現させるための主な構成要素との関係も説明する。
【００９０】
中継装置３０の通信部３１は、ネットワークＩ／Ｆ５０９によって実現され、通信ネットワーク２を介して他の端末、装置、又はシステムとデータの送受信を行う。状態検知部３２は、ＣＰＵ５０１からの命令によって実現され、この状態検知部３２を有する中継装置３０の稼動状態を検知する。稼動状態としては、「オンライン」、「オフライン」、又は「故障中」の状態がある。
【００９１】
データ品質確認部３３は、ＣＰＵ５０１からの命令によって実現され、宛先端末のＩＰアドレスを検索キーとして、変更品質管理テーブルを検索し、対応した中継される画像データの画質を抽出することで、中継される画像データの画質を確認する。変更品質管理部３４は、ＣＰＵ５０１からの命令によって実現され、サーバ装置５０から送られて来る品質情報に基づいて、変更品質管理ＤＢ３００１の変更品質管理テーブルの内容を変更する。
【００９２】
データ品質変更部３５は、ＣＰＵ５０１からの命令によって実現され、送信元の端末１０及び２０から送られて来た画像データの画質を、上記変更された変更品質管理ＤＢ３００１の変更品質管理テーブルの内容に基づいて変更する。記憶制御部３９は、ＨＤＤ５０５によって実現され、不揮発性記憶部３０００に各種データを記憶したり、不揮発性記憶部３０００に記憶された各種データを読み出す処理を行う。
【００９３】
＜サーバ装置の機能構成＞
次に、サーバ装置５０の機能について説明する。実施形態のサーバ装置５０は、通信部５１、認証部５２、状態管理部５３、端末抽出部５４、端末状態取得部５５、セッション管理部５７、品質決定部５８、記憶制御部５９、遅延時間管理部６０及び宛先判断部６２を備える。これら各部は、図４に示されている各構成要素のいずれかが、ＲＯＭ５０２に記憶されているプログラムに従ったＣＰＵ５０１からの命令によって動作することで実現される機能である。また、サーバ装置５０は、サーバ装置５０の電源をＯＦＦにしても各種データや情報の記憶が維持されるＨＤ５０４により構築される不揮発性記憶部５０００を有している。この不揮発性記憶部５０００には、各種情報が記憶されている。更に、サーバ装置５０は、ＲＡＭ５０３によって構築される揮発性記憶部５１００を有している。
【００９４】
（中継装置管理テーブル）
不揮発性記憶部５０００には、中継装置管理テーブルによって構成されている中継装置管理ＤＢ５００１が構築されている。この中継装置管理テーブルでは、各中継装置３０を識別する中継装置ＩＤ毎に、各中継装置３０の稼動状態、稼動状態が示される状態情報がサーバ装置５０で受信された受信日時、中継装置３０のＩＰアドレス、及び中継装置３０における最大データ伝送速度（Ｍｂｐｓ）が関連付けられて管理される。
【００９５】
（認証管理テーブル）
更に、不揮発性記憶部５０００には、図７に示されているような認証管理テーブルによって構成されている認証管理ＤＢ５００２が構築されている。この認証管理テーブルでは、サーバ装置５０によって管理される全ての端末１０、２０及び１３０の各端末ＩＤに、パスワードが関連付けられて管理される。パスワードは、端末１０、２０及び１３０を認証するために利用される情報である。図７の例では、ＩＤ「１０ａａ」の端末１０のパスワードは「ａａａａ」である。
【００９６】
なお本実施形態では、端末１０、２０及び１３０を識別する端末ＩＤを使用する場合を例にして説明しているが、当該端末ＩＤではなく、ユーザを識別するユーザＩＤを使用してもよい。
【００９７】
（端末管理テーブル）
また、不揮発性記憶部５０００には、端末管理テーブルによって構成されている端末管理ＤＢ５００３が構築されている。
【００９８】
図８Ａは実施形態の端末管理テーブルの例１を示す図である。実施形態の端末管理テーブルは、端末ＩＤ、端末名、状態、受信日時、ＩＰアドレス及び利用可能端末を有する。端末ＩＤは、端末１０、２０及び１３０を識別する識別情報である。端末名は、端末１０、２０及び１３０の名称である。状態は、上述のプレセンス情報に含まれる状態情報である。受信日時は、端末１０、２０及び１３０から、端末管理テーブルを更新するデータ（プレゼンス情報等）を最後に受信した日時（最新の受信日時）である。ＩＰアドレスは、端末１０、２０及び１３０をネットワーク２で識別する識別情報である。利用可能端末は、上述のプレゼンス情報に含まれる利用可能端末情報である。
【００９９】
図８Ａの例では、例えば端末ＩＤが「２０ａａ」の端末２０ａａは、端末名が「大阪Ａさん」であり、稼動状態が「オンライン」であり、サーバ装置５０でプレゼンス情報が受信された日時が「２００９年１１月１０日の１３時４０分」であり、ＩＰアドレスが「１．４．１．１」であり、利用可能端末が「汎用端末」である。なお利用可能端末に設定された「汎用端末」は、自端末２０ａａを示す。
【０１００】
また例えば、端末ＩＤが「１３０ａ」の端末１３０ａは、端末名が「大阪ＩＷＢ」であり、稼動状態が「オンライン」であり、サーバ装置５０でプレゼンス情報が受信された日時が「２００９年１１月１０日の１３時００分」であり、ＩＰアドレスが「１．２．２．５」であり、利用可能端末が「電子ホワイトボード端末」である。なお利用可能端末に設定された「電子ホワイトボード端末」は、自端末１３０ａを示す。
【０１０１】
図８Ｂは実施形態の端末管理テーブルの例２を示す図である。図８Ｂの例２は、連携部１−２２が、端末２０ａａと端末１３０ａとを連携させた場合を示す。
【０１０２】
図８Ｂの例では、端末ＩＤが「２０ａａ」の端末２０ａａは、サーバ装置５０でプレゼンス情報が受信された日時が、「２００９年１１月１０日の１３時４０分」（図８Ａ参照）から、「２００９年１１月１０日の１３時５６分」に更新されている。そして、端末ＩＤが「２０ａａ」の端末２０ａａの利用可能端末が、「２００９年１１月１０日の１３時００分」（図８Ａ参照）から、「汎用端末、電子ホワイトボード端末」に更新されている。利用可能端末に追加された「電子ホワイトボード端末」は、端末ＩＤが「１３０ａ」の端末１３０である。
【０１０３】
端末ＩＤが「１３０ａ」の端末１３０ａは、サーバ装置５０でプレゼンス情報が受信された日時が、「２００９年１１月１０日の１３時００分」（図８Ａ参照）から、「２００９年１１月１０日の１３時５６分」に更新されている。そして、端末ＩＤが「１３０ａ」の端末１３０ａの状態が、「オンライン」（図８Ａ参照）から、「オフライン」に更新されている。これは、端末１３０ａが、端末２０ａａにより既に使用されているためである。すなわち、端末２０ａａ以外の他の端末１０、２０及び１３０は、端末１３０ａを使用することができない。
【０１０４】
（宛先リスト管理テーブル）
更に、不揮発性記憶部５０００には、図９に示されているような宛先リスト管理テーブルによって構成されている宛先リスト管理ＤＢ５００４が構築されている。実施形態の宛先リスト管理テーブルは、端末１０（２０，１３０）毎に、当該端末１０（２０，１３０）の宛先端末候補として設定されている端末１０、２０及び１３０を記憶する。端末ＩＤは、端末１０、２０及び１３０を識別する識別情報である。宛先端末ＩＤは、宛先端末候補として設定されている端末１０、２０及び１３０を識別する識別情報である。
【０１０５】
図９の例では、例えば端末ＩＤが「１０ａａ」の端末１０ａａの宛先端末候補は、端末ＩＤが「１０ａｂ」の端末１０ａｂ、端末ＩＤが「１０ａｃ」の端末１０ａｃ、端末ＩＤが「１０ａｄ」の端末１０ａｄ、及び、端末ＩＤが「１０ａｅ」の端末１０ａｅである。
【０１０６】
（セッション管理テーブル）
また、この不揮発性記憶部５０００には、セッション管理テーブルによって構成されているセッション管理ＤＢ５００５が構築されている。このセッション管理テーブルでは、端末間でコンテンツデータが伝送されるセッションを識別するためのセッションＩＤ毎に、このセッションでコンテンツデータの中継に使用される中継装置３０の中継装置ＩＤ、セッションの開始要求情報の送信元である開始要求端末の端末ＩＤ、セッションの開始要求情報において相手先として指定された宛先端末の端末ＩＤ、宛先端末において画像データが受信される際の受信の遅延時間（ｍｓ）、及び、この遅延時間が示されている遅延情報が宛先端末から送られて来てサーバ装置５０で受信された受信日時が関連付けられて管理される。
【０１０７】
（品質管理テーブル）
更に、不揮発性記憶部５０００には、品質管理テーブルによって構成されている品質管理ＤＢ５００６が構築されている。この品質管理テーブルでは、開始要求端末又は宛先端末における画像データの遅延時間（ｍｓ）に応じて、中継装置３０で中継させる画像データの画質（画像の品質）が関連付けられて管理される。
【０１０８】
次に、サーバ装置５０の各機能部について詳細に説明する。なお、以下では、サーバ装置５０の各部を説明するにあたって、図４に示されている各構成要素のうち、サーバ装置５０の各部を実現させるための主な構成要素との関係も説明する。
【０１０９】
通信部５１は、ネットワークＩ／Ｆ５０９によって実行され、通信ネットワーク２を介して他の端末、装置又はシステムとデータの送受信を行う。通信部５１は、例えば端末１０、２０及び１３０から、当該端末１０、２０及び１３０の上述のプレゼンス情報を受信する。具体的には、通信部５１は、例えば端末１０、２０及び１３０の利用可能端末情報に変更があった場合に、当該端末１０、２０及び１３０から当該端末１０、２０及び１３０のプレゼンス情報を受信する。また例えば、通信部５１は、端末１０、２０及び１３０の状態情報に変更があった場合に、当該端末１０、２０及び１３０から当該端末１０、２０及び１３０のプレゼンス情報を受信する。
【０１１０】
また例えば、通信部５１は、不揮発性記憶部５０００に記憶された端末１０、２０及び１３０のプレゼンス情報が更新された場合、当該端末１０、２０及び１３０のプレゼンス情報を、当該端末１０、２０及び１３０と通信可能な端末１０、２０及び１３０（当該端末１０、２０及び１３０を宛先端末候補として有する端末１０、２０及び１３０）に送信する。
【０１１１】
認証部５２は、通信部５１を介して受信されたログイン要求情報に含まれている端末ＩＤ及びパスワードを検索キーとし、不揮発性記憶部５０００の認証管理テーブルを検索し、認証管理テーブルに同一のＩＤ及びパスワードが管理されているかを判断することによって端末１０、２０及び１３０の認証を行う。
【０１１２】
状態管理部５３は、上述の端末管理テーブルを、記憶制御部５９を介して管理する。状態管理部５３は、例えば端末１０、２０及び１３０から送信されたログイン要求及びログオフ要求等を通信部５１が受信したときに、当該ログイン要求及びログオフ要求を送信した端末１０、２０及び１３０の端末ＩＤに関連付けられた端末名、状態、受信日時、ＩＰアドレス及び利用可能端末を更新する。ログイン要求は、例えば端末１０、２０及び１３０の電源をＯＮにした時に、端末１０，２０及び１３０からサーバ装置５０に送信される。またログオフ要求は、例えば端末１０、２０及び１３０の電源をＯＦＦにした時に、端末１０，２０及び１３０からサーバ装置５０に送信される。
【０１１３】
端末抽出部５４は、宛先リスト管理テーブルから、記憶制御部５９を介して宛先端末ＩＤを抽出する。端末抽出部５４は、例えば端末１０、２０及び１３０の宛先リスト作成部１−２０が、上述の宛先リストを作成するときに、当該宛先リストに含める宛先端末候補を識別する宛先端末ＩＤを、宛先リスト管理テーブルから抽出する。
【０１１４】
端末状態取得部５５は、上述の端末管理テーブルから、記憶制御部５９を介してプレゼンス情報（状態情報及び利用可能端末情報）等を取得する。端末状態取得部５５は、例えば端末１０、２０及び１３０の宛先リスト作成部１−２０が、上述の宛先リストを作成するときに、当該宛先リストに含める宛先端末候補のプレゼンス情報を、端末管理テーブルから取得する。
【０１１５】
図１０は実施形態のプレゼンス情報を含む宛先リストの例を示す図である。図１０の例は、端末１０ｄｃに表示される宛先リストを示す。図１０に示されている更新前の宛先リストは、端末管理テーブルの状態が、上述の図８Ａの状態である場合に作成された宛先リストを示す。また図１０に示されている更新後の宛先リストは、端末管理テーブルの状態が、上述の図８Ｂの状態である場合に作成された宛先リストを示す。
【０１１６】
ＩＤは、宛先端末候補の端末１０、２０及び１３０の端末ＩＤを示す。名称は、宛先端末候補の端末名を示す。状態は、宛先端末候補の状態（プレゼンス情報に含まれる状態情報）を示す。利用状況は、宛先端末候補の利用可能端末（プレゼンス情報に含まれる利用可能端末情報）を示す。
【０１１７】
アイコン「ＵＣＳ専用」は、テレビ会議専用の端末１０を示す。アイコン「ＵＣＳ汎用」は、汎用の端末２０を示す。アイコン「ＩＷＢ」は、書込み機能及び表示機能を有する端末１３０を示す。なおＵＣＳは、Ｕｎｉｆｉｅｄ  Ｃｏｍｍｕｎｉｃａｔｉｏｎ  Ｓｙｓｔｅｍの略である。またＩＷＢは、Ｉｎｔｅｒａｃｔｉｖｅ  Ｗｈｉｔｅｂｏａｒｄの略である。
【０１１８】
図１０の例では、端末２０ａａが、端末１３０ａと連携したことにより、端末２０ａａの利用状況に、アイコン「ＩＷＢ」が追加され、端末１３０ａの状態がオフラインになる場合を示している。
【０１１９】
セッション管理部５７は、不揮発性記憶部５０００のセッション管理テーブルに、セッションＩＤ生成部で生成されたセッションＩＤ、要求元端末の端末ＩＤ、及び、宛先端末の端末ＩＤを関連付けて記憶して管理する。また、セッション管理部５７は、セッション管理テーブルに対して、セッションＩＤ毎に、最終的に１つに選択された中継装置３０の中継装置ＩＤを記憶して管理する。
【０１２０】
品質決定部５８は、上述の遅延時間を検索キーとして、品質管理テーブルを検索し、対応する画像データの画質を抽出することで、中継装置３０に中継させる画像データの画質を決定する。記憶制御部５９は、ＨＤＤ５０５によって実行され、不揮発性記憶部５０００に各種データを記憶したり、不揮発性記憶部５０００に記憶された各種データを読み出す処理を行う。更に、記憶制御部５９は、揮発性記憶部５１００に各種データを記憶したり、揮発性記憶部５１００に記憶された各種データを読み出す処理も行う。
【０１２１】
遅延時間管理部６０は、上述の宛先端末のＩＰアドレスを検索キーとして、端末管理テーブルを検索することで、対応する端末ＩＤを抽出し、更に、セッション管理テーブルにおいて、上記抽出した端末ＩＤが含まれるレコードにおける遅延時間のフィールド部分に、上記遅延情報で示されている遅延時間を記憶して管理する。
【０１２２】
宛先判断部６２は、宛先リスト管理テーブルを参照し、端末抽出部５４によって抽出されたコンテンツデータ用セッションｓｅｄに参加している端末１０及び２０の宛先端末ＩＤに、参加を要求する端末１０及び２０の宛先端末ＩＤが含まれているか否かを判断する。
【０１２３】
＜プレゼンス情報の更新方法＞
次に実施形態のプレゼンス情報の更新方法の例について説明する。
【０１２４】
図１１は実施形態のプレゼンス情報の更新方法の例１を示すシーケンス図である。
【０１２５】
はじめに、端末２０ａａの通信部１１が、端末ＩＤ及びパスワードを含むログイン情報をサーバ装置５０に送信することにより、サーバ装置５０にログインする（ステップＳ１）。
【０１２６】
次に、サーバ装置５０の通信部５１が、ステップＳ１で送信されたログイン情報に含まれる端末ＩＤ（２０ａａ）及びパスワード（ａａｂａ）の組み合わせと一致するデータが、認証管理ＤＢ５００２に含まれている場合、ログイン処理の成功を示す処理結果を端末２０ａａに送信する（ステップＳ２）。
【０１２７】
次に、端末２０ａａの通信部１１が、端末ＩＤ（２０ａａ）、状態（オンライン）、及び、利用可能端末を示す端末ＩＤ（２０ａａ）を含むプレゼンス情報をサーバ装置５０に送信することにより、サーバ装置５０に記憶された端末２０ａａのプレゼンス情報を更新する（ステップＳ３）。
【０１２８】
次に、サーバ装置５０の通信部５１が、ステップＳ１で送信されたプレゼンス情報によって、端末管理ＤＢ５００３を更新する更新処理が成功した場合、更新処理の成功を示す処理結果を端末２０ａａに送信する（ステップＳ４）。次に、通信部５１が、ステップＳ３で更新された端末２０ａａのプレゼンス情報を端末１０ｄｂに送信することにより、端末１０ｄｂに表示される端末２０ａａのプレゼンス情報を更新する（ステップＳ５）。
【０１２９】
次に、端末１０ｄｂの通信部１１が、ステップＳ５で送信されたプレゼンス情報によって、端末１０ｄｂに表示される端末２０ａａのプレゼンス情報を更新する更新処理が成功した場合、更新処理の成功を示す処理結果をサーバ装置５０に送信する（ステップＳ６）。
【０１３０】
次に、端末１３０ａの通信部１１が、端末ＩＤ（１３０ａ）及びパスワード（ａａｂｂ）を含むログイン情報をサーバ装置５０に送信することにより、サーバ装置５０にログインする（ステップＳ７）。
【０１３１】
次に、サーバ装置５０の通信部５１が、ステップＳ７で送信されたログイン情報に含まれる端末ＩＤ（１３０ａ）及びパスワード（ａａｂｂ）の組み合わせと一致するデータが、認証管理ＤＢ５００２に含まれている場合、ログイン処理の成功を示す処理結果を端末１３０ａに送信する（ステップＳ８）。
【０１３２】
次に、端末１３０ａの通信部１１が、端末ＩＤ（１３０ａ）、状態（オンライン）、及び、利用可能端末を示す端末ＩＤ（１３０ａ）を含むプレゼンス情報をサーバ装置５０に送信することにより、サーバ装置５０に記憶された端末１３０ａのプレゼンス情報を更新する（ステップＳ９）。
【０１３３】
次に、サーバ装置５０の通信部５１が、ステップＳ９で送信されたプレゼンス情報によって、端末管理ＤＢ５００３を更新する更新処理が成功した場合、更新処理の成功を示す処理結果を端末１３０ａに送信する（ステップＳ１０）。次に、通信部５１が、ステップＳ１０で更新された端末１３０ａのプレゼンス情報を端末１０ｄｂに送信することにより、端末１０ｄｂに表示される端末１３０ａのプレゼンス情報を更新する（ステップＳ１１）。
【０１３４】
次に、端末１０ｄｂの通信部１１が、ステップＳ１１で送信されたプレゼンス情報によって、端末１０ｄｂに表示される端末１３０ａのプレゼンス情報を更新する更新処理が成功した場合、更新処理の成功を示す処理結果をサーバ装置５０に送信する（ステップＳ１２）。
【０１３５】
図１２は実施形態のプレゼンス情報の更新方法の例２を示すシーケンス図である。
【０１３６】
はじめに、端末２０ａａの通信部１１が、端末１３０ａに接続要求（ペアリング要求）を送信する（ステップＳ２１）。なお当該接続要求の送信方法は任意でよい。端末２０ａａの通信部１１は、例えば外部Ｉ／Ｆ２０４を使用した有線接続、ＮＦＣ  Ｉ／Ｆ２２１又はＢｌｕｅｔｏｏｔｈ（登録商標）Ｉ／Ｆ２２２を近距離無線通信等により当該接続要求を端末１３０ａに送信する。
【０１３７】
次に、端末１３０ａの通信部１１が、ステップＳ２１で送信された接続要求の成功を示す処理結果と、利用可能機能情報と、を端末２０ａａに送信する（ステップＳ２２）。利用可能機能情報は、端末２０ａａが、端末１３０ａと接続することにより、新たに利用可能になった機能を示す情報である。
【０１３８】
次に、端末１３０ａの通信部１１が、端末ＩＤ（１３０ａ）、状態（オフライン）、及び、利用可能端末を示す端末ＩＤ（１３０ａ）を含むプレゼンス情報をサーバ装置５０に送信することにより、サーバ装置５０に記憶された端末１３０ａのプレゼンス情報を更新する（ステップＳ２３）。
【０１３９】
次に、サーバ装置５０の通信部５１が、ステップＳ２３で送信されたプレゼンス情報によって、端末管理ＤＢ５００３を更新する更新処理が成功した場合、更新処理の成功を示す処理結果を端末１３０ａに送信する（ステップＳ２４）。ステップＳ２３及びステップＳ２４の処理により、端末１３０ａは、電源オフ等によるオフライン状態と同じ状態であることを、サーバ装置５０に認識させることができる。
【０１４０】
次に、通信部５１が、ステップＳ２３で更新された端末１３０ａのプレゼンス情報を端末１０ｄｂに送信することにより、端末１０ｄｂに表示される端末１３０ａのプレゼンス情報を更新する（ステップＳ２５）。
【０１４１】
次に、端末１０ｄｂの通信部１１が、ステップＳ２５で送信されたプレゼンス情報によって、端末１０ｄｂに表示される端末１３０ａのプレゼンス情報を更新する更新処理が成功した場合、更新処理の成功を示す処理結果をサーバ装置５０に送信する（ステップＳ２６）。
【０１４２】
次に、端末１３０ａの通信部１１が、端末ＩＤ（２０ａａ）、状態（オンライン）、及び、利用可能端末を示す端末ＩＤ（２０ａａ，１３０ａ）を含むプレゼンス情報をサーバ装置５０に送信することにより、サーバ装置５０に記憶された端末２０ａａのプレゼンス情報を更新する（ステップＳ２７）。ステップＳ２７で送信されるプレゼンス情報は、端末２０ａａが、ステップＳ２１及びステップＳ２２の処理により端末２０ａａと接続された端末１３０ａの機能を、新たに利用可能になったことを示す。
【０１４３】
次に、サーバ装置５０の通信部５１が、ステップＳ２７で送信されたプレゼンス情報によって、端末管理ＤＢ５００３を更新する更新処理が成功した場合、更新処理の成功を示す処理結果を端末１３０ａに送信する（ステップＳ２８）。ステップＳ２７及びステップＳ２８の処理により、端末２０ａａが端末１３０ａを利用可能な状態であることを、サーバ装置５０に認識させることができる。
【０１４４】
次に、通信部５１が、ステップＳ２８で更新された端末２０ａａのプレゼンス情報を端末１０ｄｂに送信することにより、端末１０ｄｂに表示される端末２０ａａのプレゼンス情報を更新する（ステップＳ２９）。
【０１４５】
次に、端末１０ｄｂの通信部１１が、ステップＳ２９で送信されたプレゼンス情報によって、端末１０ｄｂに表示される端末２０ａａのプレゼンス情報を更新する更新処理が成功した場合、更新処理の成功を示す処理結果をサーバ装置５０に送信する（ステップＳ３０）。
【０１４６】
なおステップＳ２３及びステップＳ２７の処理は、端末２０ａａにより行われてもよい。またステップＳ２３及びステップＳ２７で送信されるプレゼンス情報を、１回の送信でサーバ装置５０に送信してもよい。
【０１４７】
図１３は実施形態のプレゼンス情報の更新方法の例３を示すシーケンス図である。図１３の例は、図１２に示すシーケンス図の処理により接続された端末２０ａａと端末１３０ａとの間の通信を切断する場合のプレゼンス情報の更新方法を示す。
【０１４８】
はじめに、端末２０ａａの通信部１１が、端末１３０ａに切断要求を送信する（ステップＳ３１）。
【０１４９】
次に、端末１３０ａの通信部１１が、ステップＳ３１で送信された切断要求の成功を示す処理結果を端末２０ａａに送信する（ステップＳ３２）。
【０１５０】
次に、端末１３０ａの通信部１１が、端末ＩＤ（２０ａａ）、状態（オフライン）、及び、利用可能端末を示す端末ＩＤ（２０ａａ）を含むプレゼンス情報をサーバ装置５０に送信することにより、サーバ装置５０に記憶された端末２０ａａのプレゼンス情報を更新する（ステップＳ３３）。
【０１５１】
次に、サーバ装置５０の通信部５１が、ステップＳ３３で送信されたプレゼンス情報によって、端末管理ＤＢ５００３を更新する更新処理が成功した場合、更新処理の成功を示す処理結果を端末１３０ａに送信する（ステップＳ３４）。ステップＳ３３及びステップＳ３４の処理により、端末２０ａａの利用可能端末が自端末のみであることを、サーバ装置５０に認識させることができる。
【０１５２】
次に、通信部５１が、ステップＳ３４で更新された端末２０ａａのプレゼンス情報を端末１０ｄｂに送信することにより、端末１０ｄｂに表示される端末２０ａａのプレゼンス情報を更新する（ステップＳ３５）。
【０１５３】
次に、端末１０ｄｂの通信部１１が、ステップＳ３５で送信されたプレゼンス情報によって、端末１０ｄｂに表示される端末２０ａａのプレゼンス情報を更新する更新処理が成功した場合、更新処理の成功を示す処理結果をサーバ装置５０に送信する（ステップＳ３６）。
【０１５４】
次に、端末１３０ａの通信部１１が、端末ＩＤ（１３０ａ）、状態（オンライン）、及び、利用可能端末を示す端末ＩＤ（１３０ａ）を含むプレゼンス情報をサーバ装置５０に送信することにより、サーバ装置５０に記憶された端末１３０ａのプレゼンス情報を更新する（ステップＳ３７）。
【０１５５】
次に、サーバ装置５０の通信部５１が、ステップＳ３７で送信されたプレゼンス情報によって、端末管理ＤＢ５００３を更新する更新処理が成功した場合、更新処理の成功を示す処理結果を端末１３０ａに送信する（ステップＳ３８）。ステップＳ３７及びステップＳ３８の処理により、端末１３０ａが再びオンライン状態になったことを、サーバ装置５０に認識させることができる。
【０１５６】
次に、通信部５１が、ステップＳ３７で更新された端末１３０ａのプレゼンス情報を端末１０ｄｂに送信することにより、端末１０ｄｂに表示される端末１３０ａのプレゼンス情報を更新する（ステップＳ３９）。
【０１５７】
次に、端末１０ｄｂの通信部１１が、ステップＳ３９で送信されたプレゼンス情報によって、端末１０ｄｂに表示される端末１３０ａのプレゼンス情報を更新する更新処理が成功した場合、更新処理の成功を示す処理結果をサーバ装置５０に送信する（ステップＳ４０）。
【０１５８】
なおステップＳ３３及びステップＳ３７の処理は、端末２０ａａにより行われてもよい。またステップＳ３３及びステップＳ３７で送信されるプレゼンス情報を、１回の送信でサーバ装置５０に送信してもよい。
【０１５９】
以上、説明したように、実施形態のサーバ装置５０では、不揮発性記憶部５０００が、端末１０（２０，１３０）の状態を示す状態情報と、端末１０（２０，１３０）から利用可能な利用可能端末を示す利用可能端末情報と、を含むプレゼンス情報を、端末１０（２０，１３０）毎に記憶する。また、通信部５１が、端末１０（２０，１３０）から、端末１０（２０，１３０）のプレゼンス情報を受信する。そして、状態管理部５３が、端末１０（２０，１３０）から、端末１０（２０，１３０）のプレゼンス情報を受信したときに、不揮発性記憶部５０００に記憶された端末１０（２０，１３０）のプレゼンス情報を更新する。
【０１６０】
これにより実施形態のサーバ装置５０によれば、複数のクライアント端末を利用可能になっていることを通信相手のユーザに知らせることができる。
【符号の説明】
【０１６１】
１              伝送システム
２              通信ネットワーク
１０            端末
１１            通信部
１２            操作入力受付部
１３            ログイン要求部
１４            撮像部
１５ａ          音声入力部
１５ｂ          音声出力部
１６            表示制御部
１８            遅延検出部
１９            記憶制御部
２０            端末
１３０          端末
１−２０        宛先リスト作成部
１−２１        ユーザ認証受付部
１−２２        連携部
１０００        不揮発性記憶部
１１００        揮発性記憶部
３０            中継装置
３１            通信部
３２            状態検知部
３３            データ品質確認部
３４            変更品質管理部
３５            データ品質変更部
３９            記憶制御部
３０００        不揮発性記憶部
３００１        変更品質管理ＤＢ
５０            サーバ装置
５１            通信部
５２            認証部
５３            状態管理部
５４            端末抽出部
５５            端末状態取得部
５７            セッション管理部
５８            品質決定部
５９            記憶制御部
６０            遅延時間管理部
６２            宛先判断部
５０００        不揮発性記憶部
５００１        中継装置管理ＤＢ
５００２        認証管理ＤＢ
５００３        端末管理ＤＢ
５００４        宛先リスト管理ＤＢ
５００５        セッション管理ＤＢ
５００６        品質管理ＤＢ
５１００        揮発性記憶部
【先行技術文献】
【特許文献】
【０１６２】
【特許文献１】特開２０１５−１６２２０５号公報
【図１】
2017142610.tif 000003
【図２】
2017142610.tif 000004
【図３】
2017142610.tif 000005
【図４】
2017142610.tif 000006
【図５】
2017142610.tif 000007
【図６】
2017142610.tif 000008
【図７】
2017142610.tif 000009
【図８Ａ】
2017142610.tif 000010
【図８Ｂ】
2017142610.tif 000011
【図９】
2017142610.tif 000012
【図１０】
2017142610.tif 000013
【図１１】
2017142610.tif 000014
【図１２】
2017142610.tif 000015
【図１３】
2017142610.tif 000016